(57)【要約】  移動中の認証対象に対して少ないハードウェアリソースで所定時間内に高精度な生体認証を行える認証装置等を提供する。生体認証装置１００は、所定方向に移動中の認証の対象を検出する検出部１１と、対象の全身を撮影した第１画像を入力する第１画像入力部１２と、認証される対象の全身の特徴情報を格納する第１記憶部１５と、第１画像から算出される特徴情報と第１記憶部１５に格納される特徴情報とを比較して、第１記憶部１５から候補情報を抽出する第１認証部１４と、移動中の対象の左右眼の少なくとも片方の虹彩を撮影した第２画像を入力する第２画像入力部１３と、認証される対象の左右眼の虹彩の特徴情報を格納する第２記憶部１７と、候補情報に含まれる対象毎に、第２画像の虹彩の特徴情報と第２記憶部１７に格納される特徴情報とを比較して、第２画像の対象を認証する第２認証部１６を備える。
2020065954.tif 000002
【特許請求の範囲】
【請求項１】
所定エリアの映像内において所定方向に移動中の認証の対象を検出する検出手段と、
検出された前記対象の全身が撮影された第１画像を入力する第１画像入力手段と、
一人以上の認証される対象にかかる全身の特徴情報を格納する第１記憶手段と、
前記第１画像に撮影される前記対象の全身の画像から特徴情報を算出し、算出された特徴情報と第１記憶手段に格納される前記全身の特徴情報とを比較し、比較結果を基に、前記第１記憶手段から一人以上の前記対象の候補情報を抽出する第１認証手段と、
前記検出手段に検出された前記所定方向に移動中の前記対象の右眼および左眼の少なくとも片方の虹彩を撮影した第２画像を入力する第２画像入力手段と、
前記一人以上の認証される対象にかかる右眼および左眼の虹彩の特徴情報を格納する第２記憶手段と、
前記候補情報に含まれる対象毎に、前記第２画像から算出される虹彩の特徴情報と前記第２記憶手段に格納される１つ以上の虹彩の特徴情報とを比較して照合スコアを算出し、算出された照合スコアを基に、前記第２画像に撮影される前記対象を認証し、認証結果を出力する第２認証手段
とを備える認証装置。
【請求項２】
前記検出手段が前記対象による前記所定方向以外への移動を検出すると、前記第１画像入力手段および第２画像入力手段は前記対象にかかる画像の入力を中止する
請求項１に記載の認証装置。
【請求項３】
前記第１画像を含む情報を基に、前記第２画像が前記対象の左眼のものか右眼のものかを判定し、判定結果を左右情報として前記第２画像に紐付けて出力する判定手段
を更に備え、
前記第２認証手段は、前記左右情報に紐付けされた前記第２画像から算出される虹彩の特徴情報と当該左右情報に対応する前記第２記憶手段に格納される１つ以上の特徴情報とを比較して前記照合スコアを算出する
請求項１または請求項２に記載の認証装置。
【請求項４】
前記第２記憶手段は、前記一人以上の認証される対象にかかる右眼および左眼の虹彩の特徴情報、および、当該一人以上の認証される対象にかかる右眼および左眼の信頼度スコアを格納し、
前記第２認証手段は、前記照合スコアを基に前記対象を特定し、前記第２記憶手段から前記対象に対応する前記信頼度スコアを取得し、前記照合スコアに前記信頼度スコアを重み付けした重み照合スコアを算出する 
請求項１に記載の認証装置。
【請求項５】
前記第２認証手段は、前記信頼度スコアを示す値が高い方の目を優先して、前記重み照合スコアを算出する
請求項１、請求項３、請求項４のいずれかに記載の認証装置。
【請求項６】
前記判定手段は、前記第１画像における前記対象の顔の領域に所定のテンプレートを適用して、前記２画像が前記対象の左眼または右眼のいずれに対応するかを判定する
請求項３に記載の認証装置。
【請求項７】
前記第１認証手段による第１認証の後に前記第２認証手段が第２認証を実行し、かつ、前記第１認証および前記第２認証が、前記所定エリアの映像内における前記所定方向に移動中の前記対象を前記検出手段が検出可能な時間内において完了するように調整する調整手段
を更に備える請求項１に記載の認証装置。
【請求項８】
前記第１画像入力手段による画像の入力と前記第２画像入力手段による画像の入力との間に、前記検出手段に検出された前記所定方向に移動中の前記対象の顔が撮影された第３画像を入力する第３画像入力手段と、
前記一人以上の認証される対象にかかる顔の特徴情報を格納する第３記憶手段と、
前記第１認証手段が出力する前記候補情報に含まれる対象毎に、前記第３画像から算出される顔の特徴情報と前記第３記憶手段に格納される１つ以上の顔の特徴情報とを比較し、比較結果を基に、前記第３記憶手段から一人以上の前記対象の候補情報を抽出する第３認証手段
とを更に備える請求項１に記載の認証装置。
【請求項９】
前記調整手段は、前記第１認証手段による第１認証の後に前記第３認証手段が第３認証を実行し、前記第３認証の後に前記第２認証手段が第２認証を実行し、かつ、前記第１認証、前記第３認証および前記第２認証が、前記所定エリアの映像内における前記所定方向に移動中の前記対象を前記検出手段が検出可能な時間内において完了するように調整する
請求項７に記載の認証装置。
【請求項１０】
所定エリアの映像内において所定方向に移動中の認証の対象を検出し、
検出された前記対象の全身が撮影された第１画像を入力し、
前記第１画像に撮影される前記対象の全身の画像から特徴情報を算出し、算出された特徴情報と、一人以上の認証される対象にかかる全身の特徴情報を格納する第１記憶手段に格納される前記全身の特徴情報とを比較して第１認証を行い、当該第１認証の結果を基に、前記第１記憶手段から一人以上の前記対象の候補情報を抽出し、
前記検出された前記所定方向に移動中の前記対象の右眼および左眼の少なくとも片方の虹彩を撮影した第２画像を入力し、
前記候補情報に含まれる対象毎に、前記一人以上の認証される対象にかかる右眼および左眼の虹彩の特徴情報を格納する第２記憶手段に格納される１つ以上の虹彩の特徴情報と前記第２画像から算出される虹彩の特徴情報とを比較して照合スコアを算出し、算出された照合スコアを基に、前記第２画像に撮影される前記対象の第２認証を行い、認証結果を出力する
ことを備える認証方法。
【請求項１１】
前記検出において、前記対象による前記所定方向以外への移動を検出すると、前記対象にかかる第１画像および第２画像の入力を中止する
請求項１０に記載の認証方法。
【請求項１２】
前記第１画像を含む情報を基に、前記第２画像が前記対象の左眼のものか右眼のものかを判定し、判定結果を左右情報として前記第２画像に紐付けて出力すること
を更に備え、
前記第２認証においては、前記左右情報に紐付けされた前記第２画像から算出される虹彩の特徴情報と当該左右情報に対応する前記第２記憶手段に格納される１つ以上の特徴情報とを比較して前記照合スコアを算出する
請求項１０または請求項１１に記載の認証方法。
【請求項１３】
前記第２記憶手段は、前記一人以上の認証される対象にかかる右眼および左眼の虹彩の特徴情報、および、当該一人以上の認証される対象にかかる右眼および左眼の信頼度スコアを格納し、
前記第２認証においては、前記照合スコアを基に前記対象を特定し、前記第２記憶手段から前記対象に対応する前記信頼度スコアを取得し、前記照合スコアに前記信頼度スコアを重み付けした重み照合スコアを算出する 
請求項１０に記載の認証方法。
【請求項１４】
前記第２認証においては、前記信頼度スコアを示す値が高い方の目を優先して、前記重み照合スコアを算出する
請求項１０、請求項１２、請求項１３のいずれかに記載の認証方法。
【請求項１５】
前記判定においては、前記第１画像における前記対象の顔の領域に所定のテンプレートを適用して、前記２画像が前記対象の左眼または右眼のいずれに対応するかを判定する
請求項１２に記載の認証方法。
【請求項１６】
前記第１認証の後に前記第２認証が実行され、かつ、前記第１認証および前記第２認証が、前記所定エリアの映像内における前記所定方向に移動中の前記対象の前記検出が可能な時間内において完了するように調整する
ことを更に備える請求項１０に記載の認証方法。
【請求項１７】
前記第１画像の入力と前記第２画像の入力との間に、前記検出された前記所定方向に移動中の前記対象の顔が撮影された第３画像を入力し、
前記第１認証において出力された前記候補情報に含まれる対象毎に、前記第３画像から算出される顔の特徴情報と前記一人以上の認証される対象にかかる顔の特徴情報を格納する第３記憶手段に格納される１つ以上の顔の特徴情報とを比較して第２照合スコアを算出し、算出された前記第２照合スコアを基に、前記第３記憶手段から一人以上の前記対象の候補情報を抽出する
ことを更に備える請求項１０に記載の認証方法。
【請求項１８】
前記調整においては、前記第１認証の後に前記第３認証を実行し、前記第３認証の後に前記第２認証を実行し、かつ、前記第１認証、前記第３認証および前記第２認証が、前記所定エリアの映像内における前記所定方向に移動中の前記対象を前記検出が可能な時間内において完了するように調整する
請求項１６に記載の認証方法。
【請求項１９】
所定エリアの映像内において所定方向に移動中の認証の対象を検出し、
検出された前記対象の全身が撮影された第１画像を入力し、
前記第１画像に撮影される前記対象の全身の画像から特徴情報を算出し、算出された特徴情報と、一人以上の認証される対象にかかる全身の特徴情報を格納する第１記憶手段に格納される前記全身の特徴情報とを比較して第１認証を行い、当該第１認証の結果を基に、前記第１記憶手段から一人以上の前記対象の候補情報を抽出し、
前記検出された前記所定方向に移動中の前記対象の右眼および左眼の少なくとも片方の虹彩を撮影した第２画像を入力し、
前記候補情報に含まれる対象毎に、前記一人以上の認証される対象にかかる右眼および左眼の虹彩の特徴情報を格納する第２記憶手段に格納される１つ以上の虹彩の特徴情報と前記第２画像から算出される虹彩の特徴情報とを比較して照合スコアを算出し、算出された照合スコアを基に、前記第２画像に撮影される前記対象の第２認証を行い、認証結果を出力する
ことをコンピュータに実現させる認証プログラムを格納する記憶媒体。
【請求項２０】
前記検出において、前記対象による前記所定方向以外への移動を検出すると、前記対象にかかる第１画像および第２画像の入力を中止する
請求項１９に記載の記憶媒体。
【請求項２１】
前記第１画像を含む情報を基に、前記第２画像が前記対象の左眼のものか右眼のものかを判定し、判定結果を左右情報として前記第２画像に紐付けて出力すること
を更に備え、
前記第２認証においては、前記左右情報に紐付けされた前記第２画像から算出される虹彩の特徴情報と当該左右情報に対応する前記第２記憶手段に格納される１つ以上の特徴情報とを比較して前記照合スコアを算出する
請求項１９または請求項２０に記載の記憶媒体。
【請求項２２】
前記第２記憶手段は、前記一人以上の認証される対象にかかる右眼および左眼の虹彩の特徴情報、および、当該一人以上の認証される対象にかかる右眼および左眼の信頼度スコアを格納し、
前記第２認証においては、前記照合スコアを基に前記対象を特定し、前記第２記憶手段から前記対象に対応する前記信頼度スコアを取得し、前記照合スコアに前記信頼度スコアを重み付けした重み照合スコアを算出する 
請求項１９に記載の記憶媒体。
【請求項２３】
前記第２認証においては、前記信頼度スコアを示す値が高い方の目を優先して、前記重み照合スコアを算出する
請求項１９、請求項２１、請求項２２のいずれかに記載の記憶媒体。
【請求項２４】
前記判定においては、前記第１画像における前記対象の顔の領域に所定のテンプレートを適用して、前記２画像が前記対象の左眼または右眼のいずれに対応するかを判定する
請求項２１に記載の記憶媒体。
【請求項２５】
前記第１認証の後に前記第２認証が実行され、かつ、前記第１認証および前記第２認証が、前記所定エリアの映像内における前記所定方向に移動中の前記対象の前記検出が可能な時間内において完了するように調整する
ことを更に備える請求項１９に記載の記憶媒体。
【請求項２６】
前記第１画像の入力と前記第２画像の入力との間に、前記検出された前記所定方向に移動中の前記対象の顔が撮影された第３画像を入力し、
前記第１認証において出力された前記候補情報に含まれる対象毎に、前記第３画像から算出される顔の特徴情報と前記一人以上の認証される対象にかかる顔の特徴情報を格納する第３記憶手段に格納される１つ以上の顔の特徴情報とを比較して第２照合スコアを算出し、算出された前記第２照合スコアを基に、前記第３記憶手段から一人以上の前記対象の候補情報を抽出する
ことを更に備える請求項１９に記載の記憶媒体。
【請求項２７】
前記調整においては、前記第１認証の後に前記第３認証を実行し、前記第３認証の後に前記第２認証を実行し、かつ、前記第１認証、前記第３認証および前記第２認証が、前記所定エリアの映像内における前記所定方向に移動中の前記対象を前記検出が可能な時間内において完了するように調整する
請求項２５に記載の記憶媒体。
【発明の詳細な説明】
【技術分野】
【０００１】
本発明は、対象を認証するための認証装置等に関する。
【背景技術】
【０００２】
生体の個人差に基づいた個人認証（Biometrics-based authentication）は、ユーザが作成するパスワード等に比べ漏えいや盗難の危険性が低い。この為、個人を特定し権利を確認する目的や、セキュリティ保護の目的で生体の個人差に基づいた個人認証を導入する例が増えている。生体の個人差に基づいた個人認証技術には、生体情報として、指紋（Fingerprint）、静脈（Vein）、顔（Face）、虹彩（Iris）、音声（Voice）などを用いるものが知られている。【０００３】
このうち、顔認証および虹彩認証は、認証対象の位置（顔および目）がほぼ同じであることもあり、これらを組み合わせたマルチモーダル認証が開発されている（引用文献１および２参照）。
【先行技術文献】
【特許文献】
【０００４】
【特許文献１】特開２０００−１０２５２４号公報
【特許文献２】特開２００５−２４２６７７号公報
【発明の概要】
【発明が解決しようとする課題】
【０００５】
商業施設や大型イベント会場などを運営する企業や団体において、多くのユーザの入退場管理におけるセキュリティ対策の強化とユーザ側の利便性の両立を目的として、入退場管理システムにウォークスルー認証を活用したいというニーズがある。ウォークスルー認証では、認証の対象である生体（ユーザ）は、認証用カメラの前で立ち止まることなく所定の区間を歩くのみである。これにより、認証対象であるユーザが多くとも高速に、且つ、認証処理をユーザ側に意識させること無く、認証処理を実行することができる。このウォークスルー認証に上記のマルチモーダル認証として顔認証および虹彩認証を組合せて適用すると、ユーザに接触することなくカメラ撮影のみで認証データを採取できるため好適である。【０００６】
しかし、ウォークスルー認証では、ユーザが移動しているため、認証にかけられる時間は限られている。具体的には、ユーザが認証ゲート入口に入って認証のための画像を撮影する時間（認証開始時刻）からユーザが認証を終えて認証ゲート出口を通るまでの時間（認証完了時刻）は数秒程度に限られている。このため顔認証と虹彩認証の組合せのように認証領域の位置が近いと、ほぼ同じタイミングで２種類の認証処理を高速で実行せねばならず、複数のカメラおよび多くのハードウェアリソースを必要とする。【０００７】
本開示は上記の問題点を鑑みてなされたものであり、移動中の認証対象に対して、少ないハードウェアリソースで所定時間内に高精度な認証を行える認証装置等を提供することを目的の１つとする。
【課題を解決するための手段】
【０００８】
上記問題点を鑑みて、本開示の第１の観点である認証装置は、
所定エリアの映像内において所定方向に移動中の認証の対象を検出する検出手段と、
検出された前記対象の全身が撮影された第１画像を入力する第１画像入力手段と、
一人以上の認証される対象にかかる全身の特徴情報を格納する第１記憶手段と、
前記第１画像に撮影される前記対象の全身の画像から特徴情報を算出し、算出された特徴情報と第１記憶手段に格納される前記全身の特徴情報とを比較し、比較結果を基に、前記第１記憶手段から一人以上の前記対象の候補情報を抽出する第１認証手段と、
前記検出手段に検出された前記所定方向に移動中の前記対象の右眼および左眼の少なくとも片方の虹彩を撮影した第２画像を入力する第２画像入力手段と、
前記一人以上の認証される対象にかかる右眼および左眼の虹彩の特徴情報を格納する第２記憶手段と、
前記候補情報に含まれる対象毎に、前記第２画像から算出される虹彩の特徴情報と前記第２記憶手段に格納される１つ以上の虹彩の特徴情報とを比較して照合スコアを算出し、算出された照合スコアを基に、前記第２画像に撮影される前記対象を認証し、認証結果を出力する第２認証手段
を備える。【０００９】
本開示の第２の観点である認証方法は、
所定エリアの映像内において所定方向に移動中の認証の対象を検出し、
検出された前記対象の全身が撮影された第１画像を入力し、
前記第１画像に撮影される前記対象の全身の画像から特徴情報を算出し、算出された特徴情報と、一人以上の認証される対象にかかる全身の特徴情報を格納する第１記憶手段に格納される前記全身の特徴情報とを比較して第１認証を行い、当該第１認証の結果を基に、前記第１記憶手段から一人以上の前記対象の候補情報を抽出し、
前記検出された前記所定方向に移動中の前記対象の右眼および左眼の少なくとも片方の虹彩を撮影した第２画像を入力し、
前記候補情報に含まれる対象毎に、前記一人以上の認証される対象にかかる右眼および左眼の虹彩の特徴情報を格納する第２記憶手段に格納される１つ以上の虹彩の特徴情報と前記第２画像から算出される虹彩の特徴情報とを比較して照合スコアを算出し、算出された照合スコアを基に、前記第２画像に撮影される前記対象の第２認証を行い、認証結果を出力する。【００１０】
本開示の第３の観点である認証プログラムは、
所定エリアの映像内において所定方向に移動中の認証の対象を検出し、
検出された前記対象の全身が撮影された第１画像を入力し、
前記第１画像に撮影される前記対象の全身の画像から特徴情報を算出し、算出された特徴情報と、一人以上の認証される対象にかかる全身の特徴情報を格納する第１記憶手段に格納される前記全身の特徴情報とを比較して第１認証を行い、当該第１認証の結果を基に、前記第１記憶手段から一人以上の前記対象の候補情報を抽出し、
前記検出された前記所定方向に移動中の前記対象の右眼および左眼の少なくとも片方の虹彩を撮影した第２画像を入力し、
前記候補情報に含まれる対象毎に、前記一人以上の認証される対象にかかる右眼および左眼の虹彩の特徴情報を格納する第２記憶手段に格納される１つ以上の虹彩の特徴情報と前記第２画像から算出される虹彩の特徴情報とを比較して照合スコアを算出し、算出された照合スコアを基に、前記第２画像に撮影される前記対象の第２認証を行い、認証結果を出力する
ことをコンピュータに実現させる。【００１１】
尚、認証プログラムは記憶媒体に格納されていてもよい。
【発明の効果】
【００１２】
本開示によれば、移動中の認証対象に対して、少ないハードウェアリソースで所定時間内に高精度な認証を行える認証装置等を提供することができる。
【図面の簡単な説明】
【００１３】
【図１】本開示の第１実施形態に係る生体認証装置の構成の例図である。
【図２】特定方向へ移動する対象ユーザの画像の例図である。
【図３】特定方向へ移動する対象ユーザの画像から取得される第１画像の例図である。
【図４】特定方向へ移動する対象ユーザの画像から取得される第２画像の例図である。
【図５】本開示の第１実施形態に係る生体認証装置の動作例を示すフローチャートである。
【図６】本開示の第２実施形態に係る生体認証装置の構成の例図である。
【図７】第２記憶部に格納されるデータの構成例を示す図である。
【図８】本開示の第２実施形態に係る生体認証装置の動作例を示すフローチャートである。
【図９】本開示の第３実施形態に係る生体認証装置の構成例を示す図である。
【図１０】本開示の第３実施形態に係る生体認証装置の動作例を示すフローチャートである。
【図１１】第１乃至第３実施形態にて使用可能な情報処理装置の構成の例図である。
【発明を実施するための形態】
【００１４】
以下、各実施形態について図面を参照して詳細に説明する。以下の図面の記載において、同一又は類似の部分には同一又は類似の符号を付している。ただし、図面は本発明の実施形態における構成を概略的に表している。更に以下に記載される本発明の実施形態は一例であり、その本質を同一とする範囲において適宜変更可能である。
【００１５】
各実施形態における認証は主に生体認証である。認証の対象は、主に生体であり、人（ユーザ）、動物等を含む。認証の対象には、生体以外のもの、例えば、マネキンを含めてもよい。虹彩認証を行う際には、当該対象の左右眼（なりすましを目的とした義眼も含む）を認証する。以下の各実施形態の説明において、認証の対象は、「対象ユーザ」とも称呼される。
【００１６】
生体認証のための情報としては、超音波グラフ、生体の画像、又は、音声データなど、複数の情報がある。以下の説明では、一例として、主に画像（具体的には、虹彩画像）を用いて説明するが、これは、各実施形態の限定を意図するものではない。
【００１７】
＜第１実施形態＞
マルチモーダル認証を認証の対象であるユーザと非接触で行うには、歩容認証、人型認証、顔認証、虹彩認証等が好適である。尚、人型認証とは、認証の対象者の身体の特徴（例えば、身長、体の幅、手足の長さ、顔の輪郭など、またはこれらの組み合わせ）を基に行う認証を指す。歩容認証とは、認証の対象者の歩行パターンの特徴（例えば、歩き時の姿勢、歩幅、腕の振り方、習慣付いた動きの左右非対称性（肩掛け鞄などを決まった側で持つか等）など、またはこれらの組み合わせ）を基に行う認証を指す。このうち、遠方からでも撮影できる認証対象ユーザの全身の画像から認証が容易なのは歩容認証、人型認証である。また、認証対象ユーザの近傍にて左右眼の撮影が正確にできるのであれば、最も高精度な認証結果が期待できるのは虹彩認証である。ウォークスルー認証の場合、対象ユーザは、個人差はあるが、数秒から数十秒をかけて認証ゲートの入口から出口まで移動してくる。このため、遠方の認証ゲートの入口近くにいる対象ユーザに対して全身画像を用いた歩容認証または人型認証を第１認証として行い、さらに第１認証の結果を踏まえて、認証ゲートの出口近くまで移動してきた対象ユーザに対して左右眼の画像を用いた虹彩認証を行う。第１認証により対象ユーザの候補は絞り込まれるため、虹彩認証を行うべき対象ユーザ候補の数はかなり少ないものとなる。これにより素早く精度の良い認証結果を得ることができる。以下、上述したようなウォークスルー認証を行うための生体認証装置について詳細に説明する。
【００１８】
（生体認証装置）
生体認証装置１００は、図１に示すように、検出部１１、第１画像入力部１２、第２画像入力部１３、第１認証部１４、第１記憶部１５、第２認証部１６および第２記憶部１７を備える。
【００１９】
検出部１１は、認証実行エリアの入口ゲートから出口ゲートまでの所定エリアの映像内において、所定方向に移動中の認証の対象ユーザを検出する。
【００２０】
検出部１１は、図１に示すように外部のカメラ１０に接続されている。カメラ１０は認証の対象であるユーザを撮影するためのカメラである。カメラ１０は１つであっても複数存在しても良い。検出部１１は、カメラ１０が撮影する画像（動画、静画を含む。以下同様。）中において特定方向に移動するユーザを検出する。特定方向への移動とは、例えばウォークスルー認証の場合に、ユーザが認証実行エリアの入口ゲートから出口ゲートまで歩行することを意味する。特定方向とは、当該入口ゲートから当該出口ゲートへの方向を意味する。図２に示す認証実行エリアの場合、カメラ１０は、まず、ユーザを入口ゲート付近の位置１において撮影する。図２の認証実行エリアにおいては、奥側に入口ゲート、手前側に出口ゲートが配置される。カメラ１０は図２に示すような画像を撮影できる位置（壁、ゲート等）に固定されている。
【００２１】
検出部１１は、カメラ１０が撮影するユーザの画像のうち、位置１から特定方向に所定距離進んだ位置２（図３参照）まで移動したユーザがいれば、それを認証の対象ユーザと判断し、当該対象ユーザとして検出する。検出された対象ユーザの全身を含む領域の画像データは第１画像（図３参照）として第１画像入力部１２に入力される。更に、検出部１１は、カメラ１０が撮影するユーザの画像のうち、位置２から特定方向に所定距離進んだ位置３（図４参照）まで移動したユーザがいれば、そのユーザを再び認証の対象ユーザと判断し、当該対象ユーザとして検出する。検出された対象ユーザの左右眼を含む領域の画像データは第２画像（図４参照）として第２画像入力部１３に入力される。
【００２２】
これらのユーザの体を含む画像領域（対象ユーザの全身を含む領域および左右眼を含む領域）の選択の処理は、検出部１１で行われてから第１画像入力部１２または第２画像入力部１３に引き渡されても良いし、カメラ１０が撮影する画像を受け取った第１画像入力部１２または第２画像入力部１３が行ってもよい。尚、上記の処理はカメラ１０が行ってもよい。
【００２３】
検出部１１は、対象ユーザの所定方向以外への移動を検出すると、第１画像入力部１２および第２画像入力部１３に対する画像の出力を中止してもよい。即ち、第１画像入力部１２および第２画像入力部１３は所定方向以外への移動を始めた対象ユーザにかかる画像の入力を中止する。これは、一度は対象ユーザと誤って判断されても、認証実行エリアの監視員、保守員である場合や、対象ユーザが忘れ物をした等の理由で、途中で認証を止める場合があるからである。
【００２４】
第１画像入力部１２は、特定方向に移動するユーザの全身を含む領域を撮影した第１画像（図３参照）を検出部１１から入力する。
【００２５】
第１記憶部１５は、一人以上の認証の対象となるユーザにかかる全身の特徴情報を格納する。ここで、全身の特徴情報とは、人型認証に用いられる人型の特徴情報、歩容認証に用いられる歩容の特徴情報等である。人型の特徴情報とは、例えば、全身画像のシルエットから抽出される身長、体の幅等のパターンである。全身画像のシルエットは、例えば、カラーカメラの画像と赤外線カメラの画像による背景差分を用いて抽出される。歩容の特徴情報とは、例えば、時空間輝度勾配に基づく歩容特徴であるＳＴＨＯＧ（Spatio-Temporal Histograms of Oriented Gradient）特徴情報、歩容シルエットボリューム（Gait Silhouette Volume）を用いた周波数領域特徴情報などである。このように第１認証においては、遠方で光の加減が分かりづらい、更に、光の制御がしづらいということもあり、対象ユーザのシルエットを用いて確実に且つ容易に特徴情報を抽出できるようにすることが望ましい。
【００２６】
第１認証部１４は、第１画像に撮影される対象ユーザの全身の画像から特徴情報を算出し、算出された特徴情報と第１記憶部１５に格納される全身の特徴情報とを比較して、比較結果を基に、第１記憶部１５から一人以上の対象ユーザの候補情報を抽出する。候補情報とは、対象ユーザの候補を特定可能な情報、例えば対象ユーザのＩＤ（IDentifier）である。第１認証は、第２認証のプレフィルターとしての機能を備えている。
【００２７】
第１認証部１４は、抽出された対象ユーザの候補情報を第２認証部１６へ出力する。
【００２８】
第２画像入力部１３は、検出部１１に検出された所定方向に移動中の対象ユーザの右眼および左眼の少なくとも片方の虹彩を撮影した第２画像（図４参照）を入力する。尚、左右眼のいずれであるかは、各眼の目頭の形状などから判定することができる。第２画像入力部１３は、両目分の画像を入力することが好ましい。しかし、カメラ１０が片目の画像を取得できない（例えば、前髪がかかって撮影できない、眼鏡の反射で撮影できない等）場合、撮影可能なもう片方の目の画像を撮影するようにする。
【００２９】
第２記憶部１７は、一人以上の認証の対象となるユーザにかかる右眼および左眼の虹彩の特徴情報を格納する。尚、虹彩の特徴情報とは、例えば、ドーグマンアルゴリズムを基に生成される虹彩コード（図７の特徴情報参照）である。
【００３０】
第２認証部１６は、第１認証部１４から候補情報を入力する。第２認証部１６は、候補情報に含まれる対象ユーザ毎に、第２画像から算出される虹彩の特徴情報と第２記憶部１７に格納される１つ以上の虹彩の特徴情報とを比較して照合スコアを算出し、算出された照合スコアを基に第１画像および第２画像に撮影される対象ユーザを認証し、認証結果を出力する。照合スコアとは、対象ユーザの虹彩コードと第２記憶部１７に登録済みの虹彩コードとにおいて異なるビットの数を算出（ハミング距離の算出）した結果の値である。
【００３１】
第２認証部１６は、候補情報に含まれる対象ユーザ毎に、左右情報に紐付けされた第２画像から虹彩の特徴情報を算出する。左右情報に紐付けされた第２画像とは、「右眼」とタグ付けされた右眼の虹彩画像、または、「左眼」とタグ付けされた左眼の虹彩画像のことを指す（図４の第２画像を参照）。尚、左右眼のいずれかがタグ付けされた虹彩コードであってもよい。虹彩の特徴情報として、一例として虹彩コードを使用する場合について説明する。第２認証部１６は、第２画像入力部１３から受け取る虹彩の画像から虹彩の境界線を特定して虹彩部分を抽出する。更に第２認証部１６は、抽出された虹彩部分の情報に、２次元ガボールフィルタを適用して虹彩模様を符号化し、虹彩コードを生成する。虹彩コードは、例えば2048ビットのデジタル符号化コードである。
【００３２】
第２認証部１６は、算出された特徴情報と第２記憶部１７に格納される左右情報に関連する複数のユーザの特徴情報とを比較する。具体的に、第２認証部１６は、右眼とタグ付けされた虹彩画像の場合は、第２記憶部１７に格納される右眼のみの特徴情報と比較し、左眼とタグ付けされた虹彩画像の場合は、第２記憶部１７に格納される左眼のみの特徴情報と比較する。第２認証部１６は、比較の結果、照合スコアを得る。第２認証部１６は、例えば、算出した照合スコアが所定の閾値以上であれば、第２画像に撮影されたユーザは登録済みのユーザ（正当ユーザ）であると認証し、照合スコアが所定の閾値未満であれば、第２画像に撮影されたユーザは登録済みのユーザではないと認証する。第２認証部１６は、認証結果を外部の表示部２０に出力する。表示部２０は液晶ディスプレイなどであり、対象ユーザや認証実行エリアの管理者が認証結果を閲覧可能に表示できるものとする。尚、第２画像に撮影されたユーザは、第１画像に撮影されたユーザである。この他、スピーカやブザーによる音声通知、ランプ点灯等により、認証結果を周知させても良い。
【００３３】
（生体認証装置の動作）
第１実施形態に係る生体認証装置１００の動作について図５のフローチャートを参照して説明する。尚、第１記憶部１５には、認証対象となりえる複数のユーザにかかる全身の特徴情報が予め格納されているものとする。第２記憶部１７には、認証対象となりえる複数のユーザにかかる右眼および左眼の虹彩の特徴情報が予め格納されているものとする。
【００３４】
ステップＳ１０１において、検出部１１は、カメラ１０が撮影する認証実行エリアの映像内においてユーザを検出する（図２参照）。
【００３５】
ステップＳ１０２において、検出部１１は、ユーザが認証ゲートの入口から出口へ向かう方向に移動中であるか否かを検出する（図３参照）。検出の結果、当該入口から出口へ向かう方向に移動中であれば、検出部１１はこのユーザを認証の対象ユーザとし、当該対象ユーザの全身の画像をカメラ１０から取得して第１画像入力部１２に出力する。検出の結果、当該入口から出口へ向かう方向に移動中でなければ、処理はステップＳ１０１へ戻される。
【００３６】
ステップＳ１０３において、第１画像入力部１２に、対象ユーザの全身を撮影した第１画像が入力される。
【００３７】
ステップＳ１０４において、第１認証部１４は、第１画像に撮影される対象ユーザの全身の画像から特徴情報を算出し、算出された特徴情報と第１記憶部１５に格納される全身の特徴情報とを比較して、比較結果を基に、第１記憶部１５から一人以上の対象ユーザの候補情報を抽出する。
【００３８】
ステップＳ１０５において、第１認証部１４は、抽出された対象ユーザの候補情報を一時保持する。
【００３９】
ステップＳ１０６において、検出部１１は、対象ユーザが認証ゲートの入口から出口へ向かう方向に継続して移動中であるか否かを検出する（図４参照）。検出の結果、当該入口から出口へ向かう方向に移動中であれば、検出部１１はこの対象ユーザの左右眼の領域の画像をカメラ１０から取得して第２画像入力部１３に出力する。検出の結果、当該入口から出口へ向かう方向に移動中でなければ、検出部１１は、第１認証部１４が保持する対象ユーザの候補情報を破棄するよう指示する（ステップＳ１２０）。第１認証部１４はこれに従い当該候補情報を破棄し、処理はステップＳ１０１へ戻される。
【００４０】
ステップＳ１０７において、第２画像入力部１３には、カメラ１０が撮影した対象ユーザの右眼および左眼の少なくとも片方の虹彩を撮影した第２画像が入力される。
【００４１】
ステップＳ１０８において、第２認証部１６は第１認証部１４から候補情報を受け取り、当該候補情報に含まれる対象ユーザ毎に、第２画像から算出される虹彩の特徴情報と第２記憶部１７に格納される１つ以上の虹彩の特徴情報とを比較して照合スコアを算出する。第２認証部１６は、算出された照合スコアを基に、第１画像および第２画像に撮影される対象ユーザを認証し、認証結果を表示部２０へ出力する。
【００４２】
ステップＳ１０９において、表示部２０は入力された認証結果を表示する。表示部２０は入力された認証結果を表示する。
【００４３】
以上で、生体認証装置１００の動作を終了する。
【００４４】
（第１実施形態の効果）
第１実施形態によると、移動中の認証対象ユーザに対して、少ないハードウェアリソースで所定時間内に高精度な生体認証を行うことができる。この理由は、第１認証部１４が対象ユーザの全身の画像を基に、対象ユーザの候補を絞り、第２認証部１６が、対象ユーザの候補の中から、対象ユーザの虹彩の画像を基に、対象ユーザが登録済みのユーザ（正当ユーザ）かを判断するからである。最初に、遠方の認証ゲートの入口近くにいる対象ユーザに対して歩容認証または人型認証を第１認証として行い、次に、第１認証の結果を踏まえて、近傍の認証ゲートの出口近くまで移動してきた対象ユーザに対して虹彩認証を行う。第１認証により対象ユーザの候補は絞り込まれるため、虹彩認証を行うべき対象ユーザ候補の数はかなり少ないものとなる。これにより素早く精度の良い認証結果を得ることができる。また、第１認証と第２認証とは時間差をつけて別々に実行されるため、多くのハードウェアリソースを使用せずとも、２つの認証を行うことができる。また検出部１１は、認証実行エリア内の所定方向に移動するユーザのみを検知し、当該ユーザが所定方向へ移動することを止めた場合には検出の対象として除外するので、第１認証部１４および第２認証部１６は、対象ユーザのみに対して認証処理を実行することができる。このことも、多くのハードウェアリソースを必要としない素早い精度の良い認証に寄与することができる。
【００４５】
＜第２実施形態＞
虹彩の特徴として、同一人物であっても左右の虹彩の色や形状は異なるため、その特徴も異なる。よって、同一人物であっても、識別し易い眼と識別しづらい眼がある。識別し易い目は認証処理に要する時間も短く識別精度も高いため、左右でも識別し易い眼を用いて認証処理を行う方が、短時間でより高精度の認証を行うことができる。第２の実施形態においては、識別し易い眼に重み付けして認証処理を行う生体認証装置等について説明する。
【００４６】
（生体認証装置）
生体認証装置２００は、図６に示すように、検出部１１、第１画像入力部１２、第２画像入力部１３、第１認証部１４、第１記憶部１５、第２認証部１６ａ、第２記憶部１７ａ、判定部２１および調整部２２を備える。尚、検出部１１は、外部のカメラ１０に接続されている。第２認証部１６ａは外部の表示部２０に接続されている。
【００４７】
第２記憶部１７ａは、認証の対象となるユーザに紐付けられた識別可能なＩＤ毎に、各ユーザの右眼の特徴情報および信頼度スコアと、左眼の特徴情報および信頼度スコアを格納する（図７参照）。信頼度とは、対象ユーザと他のユーザとの識別しやすさを表わす値であり、信頼度スコアとは信頼度を０−１００％の値で表わしたものである。信頼度スコアの算出方法の一例について述べる。第２記憶部１７ａに格納される登録済みユーザのＩＤの各々をi（i={1,2,3,…,N}；Nは登録済みユーザの総数）、各登録済みユーザの右眼の虹彩画像の特徴情報（特徴ベクトル）をXright(i)、現在の対象ユーザ（照合したい人）の右眼の虹彩画像の特徴情報（特徴ベクトル）をYrightとし、Xright (i)とYrightとの相関（例えば、正規化相互相関）を全ての登録済みユーザiについて算出する。算出後、最も大きかった相関値（すなわち、本人同士（対象ユーザが登録済みユーザとしてヒットした場合）の相関値）と二番目の相関値（本人と最も相関値が高い他人である登録済みユーザとの相関値）との比率（＝一番高い相関値/二番目の相関値）を算出し、算出された値を信頼度Srightとする。同様に、左眼についても同様の処理を行い、算出された値を信頼度をSleftとする。これらの信頼度Sright、Sleftを正規化し、０％〜１００％の値に変換することで、信頼度スコア（例えば、左眼２０％、右眼８０％）を得る。信頼度の正規化には様々な手法があるが、例えば、信頼度スコア（％）＝１００×（Ｓ−１）／（Ｍ−１）（このとき、１≦Ｓ≦Ｍ；ＳはSright、Sleftのいずれかを、Ｍは信頼度の最大値を表わす。最大値は予め設計者等により設定されるものとし、Ｍ＜Ｓの場合の信頼度は１００とする。）と算出する。尚、信頼度スコアの算出方法は上記に限定されるものではない。信頼度スコアの値が高いほど、対象ユーザの特徴情報は他のユーザの特徴情報と比して識別し易い（レアな虹彩コードである）。例えば、図７に示すユーザＩＤ「１」の場合、右眼の信頼度スコア８０％、左眼の信頼度スコア２０％であるため、このユーザの右眼の虹彩は特徴的であり、似た特徴情報を有するユーザが比較的存在しないことを示す。逆にこのユーザの左眼の虹彩はあまり特徴が無く、似た特徴情報を有するユーザが多く存在することを示す。このような場合、認証処理には右眼を用いた方が効率的であるため、両眼の第２画像が撮影できた場合であっても、右眼の第２画像を用いて認証処理を行うことが望ましいといえる。逆に、何らかの事情により左眼の第２画像のみしか撮影できなかった場合、認証の照合スコアが低いとしても、それは左眼の信頼度スコアが低いためでないかとの推測が可能であり、この場合生体認証装置２００は、当該ユーザに虹彩画像の取り直しを依頼することもできる。具体的には、生体認証装置２００は、表示部２０等を介して、当該ユーザに再度認証のための入口ゲートから出口ゲートまでの移動を依頼する。信頼度スコアが高い方の眼が髪の毛等で隠れている場合、第２認証部１６ａは、表示部２０に、当該信頼度スコアが高い方の眼が明確にカメラ１０で撮影できるようにユーザに協力を依頼する文面等を提示しても良い。
【００４８】
第２認証部１６ａは、図１の第２認証部１６の動作に付け加えて、照合スコアに信頼度スコアを加味した値を用いて認証をおこなう。第２認証部１６ａは、左右情報に紐付けされた第２画像から算出される虹彩の特徴情報と当該左右情報に対応する第２記憶部１７ａに格納される１つ以上の特徴情報とを比較して得られる照合スコアを算出する。更に第２認証部１６ａは、照合スコアを基に対象ユーザを特定し、第２記憶部１７ａから対象ユーザに対応する信頼度スコアを取得し、算出した照合スコアに信頼度スコアを反映させたスコアを算出する。例えば、図７中のＩＤが「１」のユーザだとすると、右眼の信頼度スコア８０％、左眼の信頼度スコア２０％である。このため、第２認証部１６ａは、両眼の第２画像の照合スコアが算出されている場合、右眼の照合スコアを右眼の信頼度スコアで、左眼の照合スコアを左眼の信頼度スコアで重み付けする。このとき第２認証部１６ａは、より信頼度が高い眼の優先度を高くし、右眼の照合スコアのみを右眼の信頼度スコアで重み付けしてもよい。これにより、更に高い信頼度のスコアを得ることができる。重み付けとは、例えば双方のスコアを乗算、加算したり、所定の数式に代入して算出結果を得ることを指す。第２認証部１６ａは、重み付けされたスコアを用いて、認証処理を行う。
【００４９】
判定部２１は、第１画像を含む情報を基に、第２画像がユーザの左眼のものか右眼のものかを判定し、判定結果を示す左右情報を第２画像に紐付けて出力する。後述するように、判定部２１は、図４に示すような虹彩の部分の画像を出力する。本実施形態では、左右眼の判定に、例として、以下の２つの手法のいずれかを用いる。第１の手法として、判定部２１は、第１画像におけるユーザの顔の領域に、顔の輪郭および両眼等の位置関係を検出するための所定のテンプレートを適用してマッチング処理を行い、第２画像がユーザの左眼または右眼のいずれのものであるかを判定する。両眼の位置関係を検出するには、ユーザの顔はカメラ１０に対して正面を向いていることが必要となるが、所定の進行方向に向かって移動中のユーザを撮影可能な位置にカメラ１０を設定しておくことにより、必然的にカメラ１０に対して正面を向いているユーザを判定の対象とすることができる。第２の手法として、判定部２１は、第１画像におけるユーザの右眼および左眼の領域の画素と、第２画像におけるユーザの右眼または左眼の領域の画素とを比較して、第２画像がユーザの左眼または右眼のいずれに対応するかを判定する。この場合、判定部２１は、全身の画像である第１画像内のユーザの右眼および左眼のそれぞれの領域の画素を抽出し、抽出された画素を第２画像に撮影された眼の領域の画素と比較して、比較された画素に類似度に応じて第２画像に撮影された眼が左右いずれのものであるか判定する。画素の比較には、チェインコードを用いた輪郭追跡アルゴリズム、主成分分析法、三次元位相限定相関法等を用いても良い。尚、左右眼の判定の手法は上記のものに限定されない。
【００５０】
尚、第１画像と第２画像は、１つのカメラ１０から撮影されても良いが、その場合、カメラ１０は、被写体の第１画像および第２画像を撮影するための望遠機能の倍率の切り替えを素早く実行できるものが好ましい。
【００５１】
調整部２２は、撮影時間の調整を行う。調整部２２は第１認証部１４による第１認証の後に第２認証部１６が第２認証を実行し、かつ、第１認証および第２認証が、認証実行エリアの映像内における所定方向に移動中の対象ユーザを検出部１１が検出可能な時間内において完了するように調整する。即ち、対象ユーザの各々は、個々に数秒から数十秒をかけて認証ゲートの入口から出口までを通過するわけであるが、その間に第１認証および第２認証が完了していなければ、当該対象ユーザは認証を終えて出口から退出していくことができない。調整部２２は、対象ユーザの移動速度を鑑みつつ、第１認証部１４における第１認証のタイミング、第２認証部１６ａにおける第２認証のタイミングの調整を行い、対象ユーザが認証ゲートの出口を出るまでにこれらの認証処理をスムーズに完了できるようにする。
【００５２】
他の部の動作は第１実施形態と同様である。
【００５３】
（生体認証装置の動作）
第２実施形態に係る生体認証装置２００の動作について図８のフローチャートを参照して説明する。尚、第１記憶部１５には、認証対象となりえる複数のユーザにかかる全身の特徴情報が予め格納されているものとする。第２記憶部１７ａには、認証対象となりえる複数のユーザにかかる右眼および左眼の虹彩の特徴情報および信頼度スコア（図７参照）が予め格納されているものとする。
【００５４】
ステップＳ２０１〜Ｓ２０７、Ｓ２２０は図５のステップＳ１０１〜Ｓ１０７、Ｓ１２０と同様である。
【００５５】
ステップＳ２０８において、判定部２１は、第１画像を含む情報を基に、第２画像が対象ユーザの左眼のものか右眼のものかを判定し、判定結果を左右情報として第２画像に紐付けて第２認証部１６ａへ出力する。
【００５６】
ステップＳ２０９において、第２認証部１６ａは、第１認証部１４から対象ユーザの候補情報を受け取る。更に第２認証部１６ａは、判定部２１から左右情報に紐付けされた第２画像を受け取る。第２認証部１６ａは、受け取った第２画像から算出される虹彩の特徴情報と、当該左右情報に対応する第２記憶部１７に格納される当該候補情報に含まれる対象ユーザの特徴情報とを比較して、照合スコアを算出する。第２認証部１６ａは、算出された照合スコアを基に対象ユーザを特定し、第２記憶部１７ａから対象ユーザに対応する信頼度スコアを取得し、算出した照合スコアを信頼度スコアで重み付けする（以下、重み照合スコアと記載）。このとき第２認証部１６ａは、より信頼度が高い眼を優先して、当該優先度の高い眼の照合スコアを、当該眼の信頼度スコアで重み付けしてもよい。第２認証部１６ａは、重み付けされたスコアを基に、第１画像および第２画像に撮影される対象ユーザを認証する。具体的に、第２認証部１６ａは、重み照合スコアが所定の閾値以上であれば、第１画像および第２画像に撮影されたユーザは登録済みのユーザ（正当ユーザ）であると認証し、重み照合スコアが所定の閾値以下であれば、第１画像および第２画像に撮影されたユーザは登録済みのユーザではないと認証する。
【００５７】
ステップＳ２１０において、第２認証部１６ａは認証結果を外部の表示部２０に出力する。表示部２０は入力された認証結果を表示する。
【００５８】
以上で、生体認証装置２００の動作を終了する。
【００５９】
（第２実施形態の効果）
第２実施形態によると、第１実施形態の効果に加え、より高い精度の認証処理を行うことができる。この理由は、第２認証部１６ａが、算出した照合スコアを基に第２記憶部１７ａから対象ユーザを特定し、第２記憶部１７ａから対象ユーザに対応する信頼度スコアを取得し、算出した照合スコアを信頼度スコアで重み付けするからである。更に、第２認証部１６ａは、より信頼度が高い眼を優先して、当該優先度の高い眼の照合スコアを、当該眼の信頼度スコアで重み付けするからである。
【００６０】
＜第３実施形態＞
第１〜２実施形態においては、全身の認証（人型認証または歩容認証）および虹彩認証のみを行ったが、第１認証および第２認証とは異なる第３の認証を組み合わせたマルチモーダル認証を行っても良い。例えば、第１〜２実施形態においては、移動するユーザの全身画像および左右眼の画像を使用しているので、認証対象検出のタイミングの観点から、第１認証（全身）と第２認証（眼）との間に顔認証を行うことが好適といえる。第３の実施形態においては、３種類の生体認証を組み合わせた生体認証装置等について説明する。
【００６１】
（生体認証装置）
生体認証装置３００は、図９に示すように、検出部１１、第１画像入力部１２、第２画像入力部１３、第１認証部１４、第１記憶部１５、第２認証部１６ｂ、第２記憶部１７ａ、判定部２１、調整部２２ａ、第３画像入力部３１、第３記憶部３２、第３認証部３３を備える。尚、検出部１１は外部のカメラ１０に接続されている。第２認証部１６ｂは外部の表示部２０に接続されている。
【００６２】
第３画像入力部３１は、第１画像入力部１２による画像の入力と第２画像入力部１３による画像の入力との間に、検出部１１が検出した所定方向に移動中の対象ユーザの顔の領域が撮影された第３画像を入力する。
【００６３】
第３記憶部３２は、一人以上の認証の対象となるユーザにかかる顔の特徴情報を格納する。顔の特徴情報とは、例えば、顔の中における目、鼻、口端などの特徴的な形状、位置関係等を示す特徴点を、顔特徴量として抽出したものである。
【００６４】
第３認証部３３は、第１認証において出力された候補情報に含まれる対象ユーザ毎に、第３画像から算出される顔の特徴情報と第３記憶部に格納される１つ以上の顔の特徴情報とを比較して第２照合スコアを算出し、算出された第２照合スコアを基に、第３記憶部から一人以上の対象ユーザの候補情報を抽出する。第３認証部３３は、抽出された候補情報を、第２認証部１６ｂへ出力する。
【００６５】
第２認証部１６ｂは、上述する第２認証部１６（図１参照）、第２認証部１６ａ（図６参照）と同様の機能を有するが、第３認証部３３から入力した候補情報を基に、対象ユーザの虹彩認証を行う。
【００６６】
調整部２２ａは、第１認証の後に第３認証を実行し、第３認証の後に第２認証を実行し、かつ、第１認証、第３認証および第２認証が、認証実行エリアの映像内における所定方向に移動中の対象ユーザを検出が可能な時間内において完了するように認証のタイミングを調整する。
【００６７】
他の部の動作は第１〜２実施形態と同様である。
【００６８】
（生体認証装置の動作）
第３実施形態に係る生体認証装置３００の動作について図１０のフローチャートを参照して説明する。尚、第１記憶部１５には、認証対象となりえる複数のユーザにかかる全身の特徴情報が予め格納されているものとする。第２記憶部１７ａには、認証対象となりえる複数のユーザにかかる右眼および左眼の虹彩の特徴情報が予め格納されているものとする。虹彩の特徴情報に信頼度スコアを付加した情報（図７参照）が格納されていてもよい。第３記憶部３２には、認証の対象となりえる複数のユーザにかかる顔の特徴情報が予め格納されているものとする。
【００６９】
ステップＳ３０１〜Ｓ３０５、Ｓ３２０は、図８のステップＳ２０１〜Ｓ２０５、Ｓ２２０と同様である。
【００７０】
ステップＳ３０６において、検出部１１は、ユーザが認証ゲートの入口から出口へ向かう方向に移動中であるか否かを検出する。検出の結果、当該入口から出口へ向かう方向に移動中であれば、検出部１１は当該対象ユーザの顔の画像をカメラ１０から取得して第３画像入力部３１に出力する。検出の結果、当該入口から出口へ向かう方向に移動中でなければ、処理はステップＳ３２０へ進められ、第１認証部１４が一時保持する画像および候補情報を消去後、ステップＳ３０１へ戻される。
【００７１】
ステップＳ３０７において、第３画像入力部３１は、対象ユーザの顔を撮影した第３画像を入力する。このとき、第３画像入力部３１は、対象ユーザの画像から顔の領域を選択して、第３画像として入力してもよい。
【００７２】
ステップＳ３０８において、第３認証部３３は、第３画像に撮影される対象ユーザの顔の領域の画像から特徴情報を算出し、算出された特徴情報と第３記憶部３２に格納される顔の特徴情報とを比較して、比較結果を基に、第３記憶部３２から一人以上の対象ユーザの候補情報を抽出する。
【００７３】
ステップＳ３０９において、第３認証部３３は、抽出された対象ユーザの候補情報を一時保持する。
【００７４】
ステップＳ３１０〜Ｓ３１４は図８のステップＳ２０６〜Ｓ２１０と同様である。
【００７５】
以上で、生体認証装置３００の動作を終了する。
【００７６】
（第３実施形態の効果）
第３実施形態によると、第１〜第２実施形態の効果に加え、第１〜第２実施形態に記載の生体認証装置よりも、さらに認証精度の高い生体認証装置３００を提供することができる。この理由は、第１認証（全身）と第２認証（眼）との間に第３の認証として顔認証を組み合わせるからである。更に、認証実行エリアの入口から出口までにおいて、歩容認証等（全身）、顔認証（顔）、虹彩認証（左右眼）と、対象ユーザの移動に応じて最も撮影し易い認証の配置を組み合わせた上で、調整部２２ａが、第１認証、第３認証、第２認証の順に、第１〜３認証が、認証実行エリアの映像内における所定方向に移動中の対象ユーザを検出が可能な時間内において完了するように認証のタイミングを調整するからである。
【００７７】
なお、各実施形態は、組み合わせて用いられてもよい。
【００７８】
（情報処理装置）
上述した本発明の各実施形態において、図１、６、９等に示す生体認証装置における各構成要素の一部又は全部は、例えば図１１に示すような情報処理装置５００とプログラムとの任意の組み合わせを用いて実現することも可能である。情報処理装置５００は、一例として、以下のような構成を含む。
【００７９】
・ＣＰＵ（Ｃｅｎｔｒａｌ  Ｐｒｏｃｅｓｓｉｎｇ  Ｕｎｉｔ）５０１
・ＲＯＭ（Ｒｅａｄ  Ｏｎｌｙ  Ｍｅｍｏｒｙ）５０２
・ＲＡＭ（Ｒａｎｄｏｍ  Ａｃｃｅｓｓ  Ｍｅｍｏｒｙ）５０３
・プログラム５０４および他のデータを格納する記憶装置５０５
・記録媒体５０６の読み書きを行うドライブ装置５０７
・通信ネットワーク５０９と接続する通信インターフェース５０８
・データの入出力を行う入出力インターフェース５１０
・各構成要素を接続するバス５１１
本願の各実施形態における生体認証装置の各構成要素は、これらの機能を実現するプログラム５０４をＣＰＵ５０１が取得して実行することで実現される。生体認証装置の各構成要素の機能を実現するプログラム５０４は、例えば、予め記憶装置５０５やＲＡＭ５０３に格納されており、必要に応じてＣＰＵ５０１が読み出す。なお、プログラム５０４は、通信ネットワーク５０９を介してＣＰＵ５０１に供給されてもよいし、予め記録媒体５０６に格納されており、ドライブ装置５０７が当該プログラムを読み出してＣＰＵ５０１に供給してもよい。
【００８０】
各装置の実現方法には、様々な変形例がある。例えば、生体認証装置は、構成要素毎にそれぞれ別個の情報処理装置とプログラムとの任意の組み合わせにより実現されてもよい。また、生体認証装置が備える複数の構成要素が、一つの情報処理装置５００とプログラムとの任意の組み合わせにより実現されてもよい。
【００８１】
また、生体認証装置の各構成要素の一部又は全部は、その他の汎用または専用の回路、プロセッサ等やこれらの組み合わせによって実現される。これらは、単一のチップによって構成されてもよいし、バスを介して接続される複数のチップによって構成されてもよい。
【００８２】
生体認証装置の各構成要素の一部又は全部は、上述した回路等とプログラムとの組み合わせによって実現されてもよい。
【００８３】
生体認証装置の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００８４】
上記の実施形態の一部又は全部は、以下の付記のようにも記載されうるが、以下には限られない。
［付記１］
所定エリアの映像内において所定方向に移動中の認証の対象を検出する検出手段と、
検出された前記対象の全身が撮影された第１画像を入力する第１画像入力手段と、
一人以上の認証される対象にかかる全身の特徴情報を格納する第１記憶手段と、
前記第１画像に撮影される前記対象の全身の画像から特徴情報を算出し、算出された特徴情報と第１記憶手段に格納される前記全身の特徴情報とを比較し、比較結果を基に、前記第１記憶手段から一人以上の前記対象の候補情報を抽出する第１認証手段と、
前記検出手段に検出された前記所定方向に移動中の前記対象の右眼および左眼の少なくとも片方の虹彩を撮影した第２画像を入力する第２画像入力手段と、
前記一人以上の認証される対象にかかる右眼および左眼の虹彩の特徴情報を格納する第２記憶手段と、
前記候補情報に含まれる対象毎に、前記第２画像から算出される虹彩の特徴情報と前記第２記憶手段に格納される１つ以上の虹彩の特徴情報とを比較して照合スコアを算出し、算出された照合スコアを基に、前記第２画像に撮影される前記対象を認証し、認証結果を出力する第２認証手段
とを備える認証装置。
［付記２］
前記検出手段が前記対象による前記所定方向以外への移動を検出すると、前記第１画像入力手段および第２画像入力手段は前記対象にかかる画像の入力を中止する
付記１に記載の認証装置。
［付記３］
前記第１画像を含む情報を基に、前記第２画像が前記対象の左眼のものか右眼のものかを判定し、判定結果を左右情報として前記第２画像に紐付けて出力する判定手段
を更に備え、
前記第２認証手段は、前記左右情報に紐付けされた前記第２画像から算出される虹彩の特徴情報と当該左右情報に対応する前記第２記憶手段に格納される１つ以上の特徴情報とを比較して前記照合スコアを算出する
付記１または付記２に記載の認証装置。
［付記４］
前記第２記憶手段は、前記一人以上の認証される対象にかかる右眼および左眼の虹彩の特徴情報、および、当該一人以上の認証される対象にかかる右眼および左眼の信頼度スコアを格納し、
前記第２認証手段は、前記照合スコアを基に前記対象を特定し、前記第２記憶手段から前記対象に対応する前記信頼度スコアを取得し、前記照合スコアに前記信頼度スコアを重み付けした重み照合スコアを算出する 
付記１に記載の認証装置。
［付記５］
前記第２認証手段は、前記信頼度スコアを示す値が高い方の目を優先して、前記重み照合スコアを算出する
付記１、付記３、付記４のいずれかに記載の認証装置。
［付記６］
前記判定手段は、前記第１画像における前記対象の顔の領域に所定のテンプレートを適用して、前記２画像が前記対象の左眼または右眼のいずれに対応するかを判定する
付記３に記載の認証装置。
［付記７］
前記第１認証手段による第１認証の後に前記第２認証手段が第２認証を実行し、かつ、前記第１認証および前記第２認証が、前記所定エリアの映像内における前記所定方向に移動中の前記対象を前記検出手段が検出可能な時間内において完了するように調整する調整手段
を更に備える付記１に記載の認証装置。
［付記８］
前記第１画像入力手段による画像の入力と前記第２画像入力手段による画像の入力との間に、前記検出手段に検出された前記所定方向に移動中の前記対象の顔が撮影された第３画像を入力する第３画像入力手段と、
前記一人以上の認証される対象にかかる顔の特徴情報を格納する第３記憶手段と、
前記第１認証手段が出力する前記候補情報に含まれる対象毎に、前記第３画像から算出される顔の特徴情報と前記第３記憶手段に格納される１つ以上の顔の特徴情報とを比較し、比較結果を基に、前記第３記憶手段から一人以上の前記対象の候補情報を抽出する第３認証手段
とを更に備える付記１に記載の認証装置。
［付記９］
前記調整手段は、前記第１認証手段による第１認証の後に前記第３認証手段が第３認証を実行し、前記第３認証の後に前記第２認証手段が第２認証を実行し、かつ、前記第１認証、前記第３認証および前記第２認証が、前記所定エリアの映像内における前記所定方向に移動中の前記対象を前記検出手段が検出可能な時間内において完了するように調整する
付記７に記載の認証装置。
［付記１０］
所定エリアの映像内において所定方向に移動中の認証の対象を検出し、
検出された前記対象の全身が撮影された第１画像を入力し、
前記第１画像に撮影される前記対象の全身の画像から特徴情報を算出し、算出された特徴情報と、一人以上の認証される対象にかかる全身の特徴情報を格納する第１記憶手段に格納される前記全身の特徴情報とを比較して第１認証を行い、当該第１認証の結果を基に、前記第１記憶手段から一人以上の前記対象の候補情報を抽出し、
前記検出された前記所定方向に移動中の前記対象の右眼および左眼の少なくとも片方の虹彩を撮影した第２画像を入力し、
前記候補情報に含まれる対象毎に、前記一人以上の認証される対象にかかる右眼および左眼の虹彩の特徴情報を格納する第２記憶手段に格納される１つ以上の虹彩の特徴情報と前記第２画像から算出される虹彩の特徴情報とを比較して照合スコアを算出し、算出された照合スコアを基に、前記第２画像に撮影される前記対象の第２認証を行い、認証結果を出力する
ことを備える認証方法。
［付記１１］
前記検出において、前記対象による前記所定方向以外への移動を検出すると、前記対象にかかる第１画像および第２画像の入力を中止する
付記１０に記載の認証方法。
［付記１２］
前記第１画像を含む情報を基に、前記第２画像が前記対象の左眼のものか右眼のものかを判定し、判定結果を左右情報として前記第２画像に紐付けて出力すること
を更に備え、
前記第２認証においては、前記左右情報に紐付けされた前記第２画像から算出される虹彩の特徴情報と当該左右情報に対応する前記第２記憶手段に格納される１つ以上の特徴情報とを比較して前記照合スコアを算出する
付記１０または付記１１に記載の認証方法。
［付記１３］
前記第２記憶手段は、前記一人以上の認証される対象にかかる右眼および左眼の虹彩の特徴情報、および、当該一人以上の認証される対象にかかる右眼および左眼の信頼度スコアを格納し、
前記第２認証においては、前記照合スコアを基に前記対象を特定し、前記第２記憶手段から前記対象に対応する前記信頼度スコアを取得し、前記照合スコアに前記信頼度スコアを重み付けした重み照合スコアを算出する 
付記１０に記載の認証方法。
［付記１４］
前記第２認証においては、前記信頼度スコアを示す値が高い方の目を優先して、前記重み照合スコアを算出する
付記１０、付記１２、付記１３のいずれかに記載の認証方法。
［付記１５］
前記判定においては、前記第１画像における前記対象の顔の領域に所定のテンプレートを適用して、前記２画像が前記対象の左眼または右眼のいずれに対応するかを判定する
付記１２に記載の認証方法。
［付記１６］
前記第１認証の後に前記第２認証が実行され、かつ、前記第１認証および前記第２認証が、前記所定エリアの映像内における前記所定方向に移動中の前記対象の前記検出が可能な時間内において完了するように調整する
ことを更に備える付記１０に記載の認証方法。
［付記１７］
前記第１画像の入力と前記第２画像の入力との間に、前記検出された前記所定方向に移動中の前記対象の顔が撮影された第３画像を入力し、
前記第１認証において出力された前記候補情報に含まれる対象毎に、前記第３画像から算出される顔の特徴情報と前記一人以上の認証される対象にかかる顔の特徴情報を格納する第３記憶手段に格納される１つ以上の顔の特徴情報とを比較して第２照合スコアを算出し、算出された前記第２照合スコアを基に、前記第３記憶手段から一人以上の前記対象の候補情報を抽出する
ことを更に備える付記１０に記載の認証方法。
［付記１８］
前記調整においては、前記第１認証の後に前記第３認証を実行し、前記第３認証の後に前記第２認証を実行し、かつ、前記第１認証、前記第３認証および前記第２認証が、前記所定エリアの映像内における前記所定方向に移動中の前記対象を前記検出が可能な時間内において完了するように調整する
付記１６に記載の認証方法。
［付記１９］
所定エリアの映像内において所定方向に移動中の認証の対象を検出し、
検出された前記対象の全身が撮影された第１画像を入力し、
前記第１画像に撮影される前記対象の全身の画像から特徴情報を算出し、算出された特徴情報と、一人以上の認証される対象にかかる全身の特徴情報を格納する第１記憶手段に格納される前記全身の特徴情報とを比較して第１認証を行い、当該第１認証の結果を基に、前記第１記憶手段から一人以上の前記対象の候補情報を抽出し、
前記検出された前記所定方向に移動中の前記対象の右眼および左眼の少なくとも片方の虹彩を撮影した第２画像を入力し、
前記候補情報に含まれる対象毎に、前記一人以上の認証される対象にかかる右眼および左眼の虹彩の特徴情報を格納する第２記憶手段に格納される１つ以上の虹彩の特徴情報と前記第２画像から算出される虹彩の特徴情報とを比較して照合スコアを算出し、算出された照合スコアを基に、前記第２画像に撮影される前記対象の第２認証を行い、認証結果を出力する
ことをコンピュータに実現させる認証プログラムを格納する記憶媒体。
［付記２０］
前記検出において、前記対象による前記所定方向以外への移動を検出すると、前記対象にかかる第１画像および第２画像の入力を中止する
付記１９に記載の記憶媒体。
［付記２１］
前記第１画像を含む情報を基に、前記第２画像が前記対象の左眼のものか右眼のものかを判定し、判定結果を左右情報として前記第２画像に紐付けて出力すること
を更に備え、
前記第２認証においては、前記左右情報に紐付けされた前記第２画像から算出される虹彩の特徴情報と当該左右情報に対応する前記第２記憶手段に格納される１つ以上の特徴情報とを比較して前記照合スコアを算出する
付記１９または付記２０に記載の記憶媒体。
［付記２２］
前記第２記憶手段は、前記一人以上の認証される対象にかかる右眼および左眼の虹彩の特徴情報、および、当該一人以上の認証される対象にかかる右眼および左眼の信頼度スコアを格納し、
前記第２認証においては、前記照合スコアを基に前記対象を特定し、前記第２記憶手段から前記対象に対応する前記信頼度スコアを取得し、前記照合スコアに前記信頼度スコアを重み付けした重み照合スコアを算出する 
付記１９に記載の記憶媒体。
［付記２３］
前記第２認証においては、前記信頼度スコアを示す値が高い方の目を優先して、前記重み照合スコアを算出する
付記１９、付記２１、付記２２のいずれかに記載の記憶媒体。
［付記２４］
前記判定においては、前記第１画像における前記対象の顔の領域に所定のテンプレートを適用して、前記２画像が前記対象の左眼または右眼のいずれに対応するかを判定する
付記２１に記載の記憶媒体。
［付記２５］
前記第１認証の後に前記第２認証が実行され、かつ、前記第１認証および前記第２認証が、前記所定エリアの映像内における前記所定方向に移動中の前記対象の前記検出が可能な時間内において完了するように調整する
ことを更に備える付記１９に記載の記憶媒体。
［付記２６］
前記第１画像の入力と前記第２画像の入力との間に、前記検出された前記所定方向に移動中の前記対象の顔が撮影された第３画像を入力し、
前記第１認証において出力された前記候補情報に含まれる対象毎に、前記第３画像から算出される顔の特徴情報と前記一人以上の認証される対象にかかる顔の特徴情報を格納する第３記憶手段に格納される１つ以上の顔の特徴情報とを比較して第２照合スコアを算出し、算出された前記第２照合スコアを基に、前記第３記憶手段から一人以上の前記対象の候補情報を抽出する
ことを更に備える付記１９に記載の記憶媒体。
［付記２７］
前記調整においては、前記第１認証の後に前記第３認証を実行し、前記第３認証の後に前記第２認証を実行し、かつ、前記第１認証、前記第３認証および前記第２認証が、前記所定エリアの映像内における前記所定方向に移動中の前記対象を前記検出が可能な時間内において完了するように調整する
付記２５に記載の記憶媒体。
【００８５】
以上、本実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００８６】
１０  カメラ
１１  検出部
１２  第１画像入力部
１３  第２画像入力部
１４  第１認証部
１５  第１記憶部
１６  第２認証部
１６ａ  第２認証部
１６ｂ  第２認証部
１７  第２記憶部
１７ａ  第２記憶部
２０  表示部
２１  判定部
２２  調整部
２２ａ  調整部
３１  第３画像入力部
３２  第３記憶部
３３  第３認証部
１００  生体認証装置
２００  生体認証装置
３００  生体認証装置
５００  情報処理装置
５０１  ＣＰＵ
５０３  ＲＡＭ
５０４  プログラム
５０５  記憶装置
５０６  記録媒体
５０７  ドライブ装置
５０８  通信インターフェース
５０９  通信ネットワーク
５１０  入出力インターフェース
５１１  バス
５０７  ドライブ装置
５０８  通信インターフェース
５０９  通信ネットワーク
５１０  入出力インターフェース
５１１  バス
【図１】
2020065954.tif 000003
【図２】
2020065954.tif 000004
【図３】
2020065954.tif 000005
【図４】
2020065954.tif 000006
【図５】
2020065954.tif 000007
【図６】
2020065954.tif 000008
【図７】
2020065954.tif 000009
【図８】
2020065954.tif 000010
【図９】
2020065954.tif 000011
【図１０】
2020065954.tif 000012
【図１１】
2020065954.tif 000013
【手続補正書】
【提出日】令和3年3月17日(2021.3.17)
【手続補正２】
【補正対象書類名】特許請求の範囲
【補正対象項目名】全文
【補正方法】変更
【補正の内容】
【特許請求の範囲】
【請求項１】
所定エリアの映像内において所定方向に移動中の認証の対象を検出する検出手段と、
検出された前記対象の全身が撮影された第１画像を入力する第１画像入力手段と、
一人以上の認証される対象にかかる全身の特徴情報を格納する第１記憶手段と、
前記第１画像に撮影される前記対象の全身の画像から特徴情報を算出し、算出された特徴情報と第１記憶手段に格納される前記全身の特徴情報とを比較し、比較結果を基に、前記第１記憶手段から一人以上の前記対象の候補情報を抽出する第１認証手段と、
前記検出手段に検出された前記所定方向に移動中の前記対象の右眼および左眼の少なくとも片方の虹彩を撮影した第２画像を入力する第２画像入力手段と、
前記一人以上の認証される対象にかかる右眼および左眼の虹彩の特徴情報を格納する第２記憶手段と、
前記候補情報に含まれる対象毎に、前記第２画像から算出される虹彩の特徴情報と前記第２記憶手段に格納される１つ以上の虹彩の特徴情報とを比較して照合スコアを算出し、算出された照合スコアを基に、前記第２画像に撮影される前記対象を認証し、認証結果を出力する第２認証手段
とを備える認証装置。
【請求項２】
前記検出手段が前記対象による前記所定方向以外への移動を検出すると、前記第１画像入力手段および第２画像入力手段は前記対象にかかる画像の入力を中止する
請求項１に記載の認証装置。
【請求項３】
前記第１画像を含む情報を基に、前記第２画像が前記対象の左眼のものか右眼のものかを判定し、判定結果を左右情報として前記第２画像に紐付けて出力する判定手段
を更に備え、
前記第２認証手段は、前記左右情報に紐付けされた前記第２画像から算出される虹彩の特徴情報と当該左右情報に対応する前記第２記憶手段に格納される１つ以上の特徴情報とを比較して前記照合スコアを算出する
請求項１または請求項２に記載の認証装置。
【請求項４】
前記第２記憶手段は、前記一人以上の認証される対象にかかる右眼および左眼の虹彩の特徴情報、および、当該一人以上の認証される対象にかかる右眼および左眼の信頼度スコアを格納し、
前記第２認証手段は、前記照合スコアを基に前記対象を特定し、前記第２記憶手段から前記対象に対応する前記信頼度スコアを取得し、前記照合スコアに前記信頼度スコアを重み付けした重み照合スコアを算出する
請求項１に記載の認証装置。
【請求項５】
前記第２認証手段は、前記信頼度スコアを示す値が高い方の目を優先して、前記重み照合スコアを算出する
請求項４のいずれかに記載の認証装置。
【請求項６】
前記判定手段は、前記第１画像における前記対象の顔の領域に所定のテンプレートを適用して、前記第２画像が前記対象の左眼または右眼のいずれに対応するかを判定する
請求項３に記載の認証装置。
【請求項７】
前記第１認証手段による第１認証の後に前記第２認証手段が第２認証を実行し、かつ、前記第１認証および前記第２認証が、前記所定エリアの映像内における前記所定方向に移動中の前記対象を前記検出手段が検出可能な時間内において完了するように調整する調整手段
を更に備える請求項１に記載の認証装置。
【請求項８】
前記第１画像入力手段による画像の入力と前記第２画像入力手段による画像の入力との間に、前記検出手段に検出された前記所定方向に移動中の前記対象の顔が撮影された第３画像を入力する第３画像入力手段と、
前記一人以上の認証される対象にかかる顔の特徴情報を格納する第３記憶手段と、
前記第１認証手段が出力する前記候補情報に含まれる対象毎に、前記第３画像から算出される顔の特徴情報と前記第３記憶手段に格納される１つ以上の顔の特徴情報とを比較し、比較結果を基に、前記第３記憶手段から一人以上の前記対象の候補情報を抽出する第３認証手段
とを更に備える請求項１に記載の認証装置。
【請求項９】
前記第１認証手段による第１認証の後に前記第３認証手段が第３認証を実行し、前記第３認証の後に前記第２認証手段が第２認証を実行し、かつ、前記第１認証、前記第３認証および前記第２認証が、前記所定エリアの映像内における前記所定方向に移動中の前記対象を前記検出手段が検出可能な時間内において完了するように調整する調整手段
を更に備える請求項８に記載の認証装置。
【請求項１０】
所定エリアの映像内において所定方向に移動中の認証の対象を検出し、
検出された前記対象の全身が撮影された第１画像を入力し、
前記第１画像に撮影される前記対象の全身の画像から特徴情報を算出し、算出された特徴情報と、一人以上の認証される対象にかかる全身の特徴情報を格納する第１記憶手段に格納される前記全身の特徴情報とを比較して第１認証を行い、当該第１認証の結果を基に、前記第１記憶手段から一人以上の前記対象の候補情報を抽出し、
前記検出された前記所定方向に移動中の前記対象の右眼および左眼の少なくとも片方の虹彩を撮影した第２画像を入力し、
前記候補情報に含まれる対象毎に、前記一人以上の認証される対象にかかる右眼および左眼の虹彩の特徴情報を格納する第２記憶手段に格納される１つ以上の虹彩の特徴情報と前記第２画像から算出される虹彩の特徴情報とを比較して照合スコアを算出し、算出された照合スコアを基に、前記第２画像に撮影される前記対象の第２認証を行い、認証結果を出力する
ことを備える認証方法。
【請求項１１】
所定エリアの映像内において所定方向に移動中の認証の対象を検出し、
検出された前記対象の全身が撮影された第１画像を入力し、
前記第１画像に撮影される前記対象の全身の画像から特徴情報を算出し、算出された特徴情報と、一人以上の認証される対象にかかる全身の特徴情報を格納する第１記憶手段に格納される前記全身の特徴情報とを比較して第１認証を行い、当該第１認証の結果を基に、前記第１記憶手段から一人以上の前記対象の候補情報を抽出し、
前記検出された前記所定方向に移動中の前記対象の右眼および左眼の少なくとも片方の虹彩を撮影した第２画像を入力し、
前記候補情報に含まれる対象毎に、前記一人以上の認証される対象にかかる右眼および左眼の虹彩の特徴情報を格納する第２記憶手段に格納される１つ以上の虹彩の特徴情報と前記第２画像から算出される虹彩の特徴情報とを比較して照合スコアを算出し、算出された照合スコアを基に、前記第２画像に撮影される前記対象の第２認証を行い、認証結果を出力する
ことをコンピュータに実現させる認証プログラム。
【請求項１２】
請求項１１に記載の認証プログラムが記録された記録媒体。
【国際調査報告】
2020065954.tif 000014
2020065954.tif 000015
2020065954.tif 000016
2020065954.tif 000017